(57)【要約】【課題】熱電モジュールを使用した電子冷凍冷蔵庫に関して、除霜動作によって増大する消費電力量の低減を図る。【解決手段】冷凍室用冷却器３を冷却する第１熱電モジュール４に印加する電圧の電圧方向を切り換えることにより、吸熱面と放熱面とを入れ換えて除霜を行うとともに、除霜動作中の第１熱電モジュール４の吸熱効果を冷蔵室の冷却に有効利用することによって、電子冷凍冷蔵庫の消費電力量を低減することができるものである。【選択図】  図２
2004340403.tif 000002
【特許請求の範囲】
【請求項１】
冷凍室用冷却器と、前記冷凍室用冷却器と冷却面を熱伝導可能に接続された第１熱電モジュールと、前記第１熱電モジュールの放熱面と熱伝導可能に接続された冷蔵室用冷却器と、前記冷蔵室用冷却器と吸熱面を熱伝導可能に接続された第２熱電モジュールと、前記第２熱電モジュールの放熱面と熱伝導可能に接続された外部放熱器と、冷蔵室と冷凍室の温度を検出する温度検出手段と、前記第１熱電モジュールに印加される電圧の方向を反転する冷凍用切り換え手段と、前記第１熱電モジュールに電圧を印加する第１直流電源と、前記第２熱電モジュールに電圧を印加する第２直流電源と、前記冷凍用切り換え手段の動作する時間をカウントするタイマー回路と、前記温度検出手段による検出値と前記タイマー回路のカウント値により前記第１直流電源と前記第２直流電源の出力電圧を制御するとともに前記冷凍用切り換え手段を制御する制御回路とを備え、前記第１熱電モジュールに印加する電圧の極性を切り換えて前記第１熱電モジュールの冷却面と放熱面を切り換えることにより前記冷凍室用冷却器の除霜を行うと共に前記冷凍室用冷却器の除霜期間中の前記冷蔵室の冷却を前記第１熱電モジュールと前記第２熱電モジュールによって行うことを特徴とする電子冷凍冷蔵庫。
【請求項２】
冷凍室用冷却器と、前記冷凍室用冷却器と冷却面を熱伝導可能に接続された第１熱電モジュールと、前記第１熱電モジュールの放熱面と熱伝導可能に接続された冷蔵室用冷却器と、前記冷蔵室用冷却器と吸熱面を熱伝導可能に接続された第２熱電モジュールと、前記第２熱電モジュールの放熱面と熱伝導可能に接続された外部放熱器と、冷蔵室と冷凍室の温度を検出する温度検出手段と、前記第２熱電モジュールに印加される電圧の方向を反転する冷蔵用切り換え手段と、前記第１熱電モジュールに電圧を印加する第１直流電源と、前記第２熱電モジュールに電圧を印加する第２直流電源と、前記冷蔵用切り換え手段の動作する時間をカウントするタイマー回路と、前記温度検出手段による検出値と前記タイマー回路のカウント値により前記第１直流電源と前記第２直流電源の出力電圧を制御するとともに前記冷蔵用切り換え手段を制御する制御回路とを備え、前記第１熱電モジュールへの電圧の印加を中断し、前記冷蔵用切り換え手段によって前記第２熱電モジュールの冷却面と放熱面を切り換えることにより前記冷凍室用冷却器の除霜を行うと共に前記冷蔵室用冷却器の除霜を同時に行うことを特徴とする電子冷凍冷蔵庫。
【請求項３】
冷蔵室用冷却器の除霜時に冷蔵室を冷却するための第２熱電モジュールへの電圧の印加を中断し、冷凍室を冷却するための第１熱電モジュールの放熱によって冷蔵室用冷却器の除霜を行うことを特徴とする請求項１または請求項２に記載の電子冷凍冷蔵庫。
【発明の詳細な説明】
【０００１】
【発明の属する技術分野】
本発明は、熱電モジュールを使用した電子冷凍冷蔵庫に関するものである。
【０００２】
【従来の技術】
近年、フロンガスの大気放出によるオゾン層破壊や温暖化が地球的な問題となり、フロンガスを使用しない冷凍冷蔵庫の開発が急がれている。そしてフロンガスを使用しない方式の一つとして、熱電モジュールを使用した電子冷凍冷蔵庫が注目されている。
【０００３】
従来の電子冷凍冷蔵庫としては、冷凍室冷却用の熱電モジュールの放熱器を冷蔵室内に配置して氷点以下の低温状態を実現したもの（例えば特許文献１参照）がある。
【０００４】
また、従来の熱電モジュールを利用した冷却器の除霜技術については、電熱線などのヒーターを用いる方法が最も多く利用されているが、コスト低減のために熱電モジュールに印加する電圧の極性を反転することで冷却面と放熱面を切り換えることができる熱電モジュールの特性を利用したもの（例えば特許文献２参照）がある。
【０００５】
以下、図面を参照しながら従来の電子冷凍冷蔵庫について説明する。
【０００６】
図８は特許文献１に記載されている従来の熱電モジュールを用いた冷凍装置の断面図を示している。
【０００７】
冷凍容器１は、断熱材料からなる外壁２とアルミニウム製の内壁である冷凍室用冷却器３から構成されている。冷凍容器１を冷却するための第１熱電モジュール４は、吸熱面が冷凍室用冷却器３と接しており、冷凍室用冷却器３を介して冷凍容器１を冷却している。放熱器５は第１熱電モジュール４の放熱面からの熱を容器６内に放出する。
【０００８】
容器６も外壁２とアルミニウム製の内壁である冷却器７とから構成されており、容器６の内部には内部流体を攪拌するためのファン８が設けられている。容器６を冷却するための第２熱電モジュール９は吸熱面を冷却器７と接しており、放熱面は外部に熱を放出するためにアルミニウム製の外部放熱器１０と接している。
【０００９】
以上のように構成された電子冷凍冷蔵庫について、以下その動作を説明する。
【００１０】
第１熱電モジュール４と第２熱電モジュール９に通電すると、冷凍容器１内の流体や被冷却物は冷凍室用冷却器３を介して第１熱電モジュール４に吸熱され、冷凍容器１内が冷却される。第１熱電モジュール４に吸熱された熱と通電により発生する熱は放熱面から放熱器５を介して容器６内部に放出される。
【００１１】
また、第２熱電モジュール９でも第１熱電モジュール４と同様に容器６内の流体や被冷却物は冷却器７を介して第２熱電モジュール９に吸熱され、容器６の内部が冷却される。ファン８は容器６内部の冷却を効率よく行うために容器６内部の流体を攪拌する。第２熱電モジュール９に吸熱された熱と通電により発生する熱は放熱面から外部放熱器１０を介して外部雰囲気中に放出される。
【００１２】
この際、雰囲気温度と比較して、大幅に温度が低い容器６内部の流体で第１熱電モジュール４の放熱を行うため、第１熱電モジュール４の吸熱面温度は氷点以下まで下がり、冷凍容器１内部での冷凍が可能となる。
【００１３】
つぎに、図面を参照しながら従来技術のうち除霜についての技術を説明する。
【００１４】
図９は従来の除霜技術である特許文献２に記載の解氷制御装置の機能ブロック図である。
【００１５】
図９に示すように従来の解氷制御装置は、熱電モジュール１１と直流電源プラス端子１２と、直流電源マイナス端子１３と、熱電モジュール１１の一方の端子に接続される第１の切換片１４と、熱電モジュール１１の他方の端子に接続される第２の切換片１５と、直流電源プラス端子１２に接続される第１のプラス端子１６と、直流電源プラス端子２に接続される第２のプラス端子１７と、直流電源マイナス端子１３に接続される第１のマイナス端子１８と、直流電源マイナス端子１３に接続される第２のマイナス端子１９と、第１の切換片１４と第２の切換片１５を動作させる切換手段２０から構成されている。
【００１６】
以上のように構成された解氷制御装置について、以下その動作を説明する。
【００１７】
まず切換片１４と切換片１５が図９における実線の状態にあるときは、切換片１４は第１のプラス端子１６に接続され、切換片１５は第１のマイナス端子１８に接続され、この状態が熱電モジュール１１による冷却を行う正通電状態である。そして、あらかじめ定められた数時間ないし数十時間毎に切換片１４および切換片１５は切換手段２０によって、図９に示す点線の状態に切換えられる。
【００１８】
このとき、切換片１４は第２のマイナス端子１９に接続され、切換片１５は第２のプラス端子１７に接続され、熱電モジュール１１に印加される電圧の方向が逆転した逆通電状態となり、正通電状態においての冷却面と放熱面が逆転する。
【００１９】
この逆通電状態は、切換手段１４によってあらかじめ定められた数分ないし数十分の時間経過後に正通電状態に戻される。
【００２０】
以上の動作を繰り返すことにより、正通電状態において氷結する冷却面の除霜が可能となり、冷却面の除霜をするためのヒーターを用いる必要が無くなる。
【００２１】
【特許文献１】
特開平７−３３２８２９号公報
【特許文献２】
特許第２５０８９０５号公報
【００２２】
【発明が解決しようとする課題】
しかしながら、上記従来の電子冷凍冷蔵庫である特許文献１記載の冷凍装置においては、熱電モジュールを２つ用いることによって冷凍装置を実現しているが、冷却器の除霜の方法については示されていない。また、２つの熱電モジュールが熱伝導的に接続されていないため、除霜には各々の熱電モジュールについて冷却面と放熱面を切り換えるか、もしくはヒーターを設けなくてはならない。
【００２３】
また、上記従来の除霜技術である特許文献２記載の解氷制御装置の構成では、１組の熱電モジュールと冷却器を想定しており、冷却面の除霜のみを目的として熱電モジュールの放熱を利用するものであり、通常の正通電状態で発生する熱電モジュールからの放熱や除霜動作時の逆通電状態で発生する熱電モジュールの吸熱については利用できていない。
【００２４】
本発明は従来の課題を解決するもので、消費電力の低減が可能な除霜機能を有する電子冷凍冷蔵庫を提供することを目的とする。
【００２５】
【課題を解決するための手段】
本発明の請求項１に記載の発明は、冷凍室用冷却器と、前記冷凍室用冷却器と冷却面を熱伝導可能に接続された第１熱電モジュールと、前記第１熱電モジュールの放熱面と熱伝導可能に接続された冷蔵室用冷却器と、前記冷蔵室用冷却器と吸熱面を熱伝導可能に接続された第２熱電モジュールと、前記第２熱電モジュールの放熱面と熱伝導可能に接続された外部放熱器と、冷蔵室と冷凍室の温度を検出する温度検出手段と、前記第１熱電モジュールに印加される電圧の方向を反転する冷凍用切り換え手段と、前記第１熱電モジュールに電圧を印加する第１直流電源と、前記第２熱電モジュールに電圧を印加する第２直流電源と、前記冷凍用切り換え手段の動作する時間をカウントするタイマー回路と、前記温度検出手段による検出値と前記タイマー回路のカウント値により前記第１直流電源と前記第２直流電源の出力電圧を制御するとともに前記冷凍用切り換え手段を制御する制御回路とを備え、前記第１熱電モジュールに印加する電圧の極性を切り換えて前記第１熱電モジュールの冷却面と放熱面を切り換えることにより前記冷凍室用冷却器の除霜を行うと共に前記冷凍室用冷却器の除霜期間中の前記冷蔵室の冷却を前記第１熱電モジュールと前記第２熱電モジュールによって行うので、除霜動作中の第１熱電モジュールの吸熱効果を有効に利用することが可能となり、消費電力が低減できるという作用を有する。
【００２６】
請求項２に記載の発明は、冷凍室を冷却するための冷凍室用冷却器と、前記冷凍室用冷却器と冷却面を熱伝導可能に接続された第１熱電モジュールと、前記第１熱電モジュールの放熱面と熱伝導可能に接続された冷蔵室用冷却器と、前記冷蔵室用冷却器と吸熱面を熱伝導可能に接続された第２熱電モジュールと、前記第２熱電モジュールの放熱面と熱伝導可能に接続された外部放熱器と、冷蔵室と冷凍室の温度を検出する温度検出手段と、前記第２熱電モジュールに印加される電圧の方向を反転する冷蔵用切り換え手段と、前記第１熱電モジュールに電圧を印加する第１直流電源と、前記第２熱電モジュールに電圧を印加する第２直流電源と、前記冷蔵用切り換え手段の動作する時間をカウントするタイマー回路と、前記温度検出手段による検出値と前記タイマー回路のカウント値により前記第１直流電源と前記第２直流電源の出力電圧を制御するとともに前記冷蔵用切り換え手段を制御する制御回路とを備え、前記第１熱電モジュールへの電圧の印加を中断し、前記冷蔵用切り換え手段によって前記第２熱電モジュールの冷却面と放熱面を切り換えることにより前記冷凍室用冷却器の除霜と前記冷蔵室用冷却器の除霜を同時に行うので、前記冷凍室用冷却器の除霜に要する消費電力が低減できるという作用を有する。
【００２７】
請求項３に記載の発明は、請求項１または請求項２に記載の発明において、冷蔵室を冷却するための第２熱電モジュールへの電圧の印加を中断し、冷凍室を冷却するための第１熱電モジュールの放熱によって冷蔵室用冷却器の除霜を行うので、冷蔵用切り換え手段もしくは冷凍用切り換え手段を動作させることなく前記冷蔵室用冷却器の除霜が可能となり、前記冷蔵室用冷却器の除霜に要する消費電力を低減することができるという作用を有する。
【００２８】
【発明の実施の形態】
以下、本発明による電子冷凍冷蔵庫の実施の形態について、図面を参照しながら説明する。なお、従来と同一構成については、同一符号を付して詳細な説明を省略する。
【００２９】
（実施の形態１）
図１は本発明の実施の形態１による電子冷凍冷蔵庫の機能ブロック図である。図２は同実施の形態の電子冷凍冷蔵庫の冷却システムの断面図である。
【００３０】
図１において、第１直流電源２１と第２直流電源２２は出力電圧を０ボルトから所定の最大電圧値まで可変制御できる電源である。また、冷凍用切り換え手段２３は第１直流電源２１の出力電圧の極性を切り換えるものであり、タイマー回路２４は冷凍用出力切り換え手段２３の動作時間をカウントするタイマーであり、温度検出手段２５は冷凍室と冷蔵室の温度を検出するためのものである。
【００３１】
制御回路２６は、温度検出手段２５によって検出した温度に応じて第１直流電源２１と第２直流電源２２の出力電圧を制御する温度制御機能と、タイマー回路２４によって一定時間ごとに第１直流電源２１の出力電圧方向を冷凍用切り換え手段２３によって切り換える機能を有する。
【００３２】
また、第１熱電モジュール４は冷凍室を冷却するためのものであり、第１直流電源２１と冷凍用切り換え手段２３を介して接続される。第２熱電モジュール９は冷蔵室を冷却するためのものであり、第２直流電源２２と接続される。
【００３３】
図２においては、冷蔵室を冷却するための冷蔵室用冷却器２７は、隙間調節用の第１アルミブロック２８を介して熱伝導可能に第２熱電モジュール９の冷却面と接続され、外部放熱器１０は第２熱電モジュールの放熱面と熱伝導可能に接続される。
【００３４】
第１熱電モジュール４は、冷却面を隙間調節用の第２アルミブロック２９を介して冷凍室用冷却器３と熱伝導可能に接続され、第１熱電モジュール４の放熱面は冷蔵室用冷却器２７と熱伝導可能に接続される。また、冷蔵室内の空気を循環させるための送風ファン３０は、冷蔵室用冷却器２７に固定されている。
【００３５】
以下、図１に示した機能ブロック図と、図２に示した冷却システムを用いた電子冷凍冷蔵庫について図面を参照しながらその動作を説明する。
【００３６】
電子冷凍冷蔵庫が冷蔵室と冷凍室の冷却を行う通常冷却運転の場合には、制御回路２６は温度検出手段２５によって検出した冷蔵室と冷凍室の温度が所定の値となるように第１直流電源２１と、第２直流電源２２の出力電圧を制御することで第１熱電モジュール４の吸熱量と、第２熱電モジュール９の吸熱量を制御して冷蔵室と冷凍室の温度を所定の値に保つように動作する。
【００３７】
そして、数時間ないし数十時間毎にタイマー回路２４から制御回路２６に数分間ないし数十分間の除霜動作信号を送出し、制御回路２６はその除霜動作信号を受けて、冷凍用切り換え手段２３を図１における点線方向に切り換えることで第１熱電モジュール４の冷却面と放熱面とを入れ換えるとともに、第１直流電源の電圧を所定の値に維持することにより冷凍室用冷却器３に付着した霜を取り除くための除霜運転を行う。
【００３８】
この除霜運転時には、冷蔵室用冷却器２７は第１熱電モジュール４と第２熱電モジュール９の両方の吸熱効果によって冷却されることになる。そして、タイマー回路２４からの除霜動作信号の送出が完了した後には、制御回路２６は冷凍用切り換え手段２３を図１における実線方向に切り換えて、冷凍室と冷蔵室の温度を制御する通常の冷却運転に戻る。
【００３９】
図３は、上記の実施の形態１での一連の動作におけるタイマー回路２４の除霜動作信号と、第１直流電源２１の出力電圧と、第２直流電源２２の出力電圧および第１熱電モジュールに印加される電圧の変化の一例をタイムチャートとして示している。
【００４０】
以上のように本実施の形態の電子冷凍冷蔵庫は、冷凍室を冷却するための第１熱電モジュール４の放熱面と冷蔵室用冷却器２７を熱伝導的に接続して、冷凍室用冷却器３の除霜を第１熱電モジュール４の吸熱面と放熱面を入れ替えることにより実施することとしたので、除霜運転時に第１熱電モジュール４に発生する吸熱効果を冷蔵室用冷却器２７の冷却に利用することが可能となり、消費電力を低減することができる。
【００４１】
なお、本実施の形態においては第１熱電モジュール４への電圧方向の切り換えを冷凍用切り換え手段２３を用いて行ったが、第１直流電源２１を出力電圧が正負両方向に制御可能な可変電圧電源とすることで、第１熱電モジュール４と第１直流電源２１を直接接続するように構成してもよい。
【００４２】
また、本実施の形態においては除霜動作信号を得るためにタイマー回路２４を用いたが、タイマー回路２４に代えて冷凍室用冷却器３の温度を検出し、あらかじめ定めた除霜動作開始温度以下となれば除霜運転を開始し、あらかじめ定めた除霜動作完了温度以上となれば除霜運転を完了するよう温度検出手段２５と制御回路２６を構成してもよい。
【００４３】
（実施の形態２）
図４は、本発明の実施の形態２における機能ブロック図である。本実施の形態においては、実施の形態１における第１直流電源２１の出力を切り換えるための冷凍用切り換え手段２３を省き、代わりに第２直流電源２２と第２熱電モジュール９の間に冷蔵用切り換え手段３１を挿入した構成となっている。また、使用する冷却システムは実施の形態１と同様の図２で示される。
【００４４】
以下、その動作を図２および図４を参照して説明する。
【００４５】
電子冷凍冷蔵庫が冷蔵室と冷凍室の冷却を行う通常の冷却運転の場合には、制御回路２６は温度検出手段２５によって検出した冷蔵室と冷凍室の温度が所定の値となるように第１直流電源２１と、第２直流電源２２の出力電圧を制御することで第１熱電モジュール４の吸熱量と、第２熱電モジュール９の吸熱量を制御して冷蔵室と冷凍室の温度を所定の値に保つように冷却運転を行う。
【００４６】
そして、数時間ないし数十時間毎にタイマー回路２４から制御回路２６に数分間ないし数十分間の除霜動作信号を送出し、制御回路２６はその除霜動作信号を受けて、第１直流電源の出力を停止し、冷蔵用切り換え手段３１を図４における点線方向に切り換えることで第２熱電モジュール９の冷却面と放熱面とを入れ換え、第２直流電源の出力電圧を所定の値に維持するよう動作する。
【００４７】
このことにより、冷蔵室用冷却器２７と冷凍室用冷却器３に付着した霜を取り除くための除霜運転が可能となる。
【００４８】
また、タイマー回路２４からの除霜動作信号の送出が完了した後には、制御回路２６は冷蔵用切り換え手段３１を図４における実線方向に切り換えて、冷凍室と冷蔵室の温度を制御する通常の冷却運転に戻る。
【００４９】
従って、冷凍室用冷却器３と冷蔵室用冷却器２７の除霜が同時に行うことが可能となり、冷凍室用冷却器３の除霜のために熱電モジュール４に印加する電圧方向を切り換える手段やヒーターなどを設ける必要が無く、冷凍室用冷却器３の除霜のためだけに必要とする電力を削減することが可能となり、消費電力を低減することができる。
【００５０】
図５は、上記の実施の形態２での一連の動作におけるタイマー回路２４の除霜動作信号と、第１直流電源２１の出力電圧と第２直流電源２２の出力電圧および第２熱電モジュールに印加される電圧の変化の一例をタイムチャートとして示している。
【００５１】
なお、本実施の形態においては第２熱電モジュール９への電圧方向の切り換えを冷蔵用切り換え手段３１を用いて行ったが、第２直流電源２２を出力電圧が正負両方向に制御可能な可変電圧電源とすることで、第２熱電モジュール９と第２直流電源２２を直接接続するように構成してもよい。
【００５２】
また、本実施の形態においては除霜動作信号を得るためにタイマー回路２４を用いたが、タイマー回路２４に代えて冷凍室用冷却器３もしくは冷蔵室用冷却器２７の温度を検出し、あらかじめ定めた除霜動作開始温度以下となれば除霜運転を開始し、あらかじめ定めた除霜動作完了温度以上となれば除霜運転を完了するよう温度検出手段２５と制御回路２６を構成してもよい。
【００５３】
（実施の形態３）
図６は、本発明の実施の形態３における機能ブロック図である。本実施の形態においては、実施の形態１および実施の形態２における第１直流電源あるいは第２直流電源の出力を切り換えるための切り換え手段を省いた構成となっている。また、使用する冷却システムは実施の形態１および実施の形態２と同様の図２で示される。
【００５４】
以下、その動作を図２および図６を参照して説明する。
【００５５】
電子冷凍冷蔵庫が冷蔵室と冷凍室の冷却を行う通常の冷却運転の場合には、制御回路２６は温度検出手段２５によって検出した冷蔵室と冷凍室の温度が所定の値となるように第１直流電源２１と、第２直流電源２２の出力電圧を制御することで第１熱電モジュール４の吸熱量と、第２熱電モジュール９の吸熱量を制御して冷蔵室と冷凍室の温度を所定の値に保つように冷却運転を行う。
【００５６】
そして、数時間ないし数十時間毎にタイマー回路２４から制御回路２６に数分間ないし数十分間の除霜動作信号を送出し、制御回路２６はその除霜動作信号を受けて、第２直流電源の出力を停止するとともに、第１熱電モジュール４には所定の電圧を印加するよう動作する。
【００５７】
このように動作をさせることにより、第１熱電モジュールの放熱面に熱伝導可能に接続された冷蔵室用冷却器２７に付着した霜を取り除く除霜運転が可能となる。
【００５８】
また、タイマー回路２４からの除霜動作信号の送出が完了した後には、制御回路２６は温度検出手段２５によって検出した冷蔵室と冷凍室の温度を所定の値に保つ通常の冷却運転に戻る。
【００５９】
図７は、上記の実施の形態３での一連の動作におけるタイマー回路２４の除霜動作信号と、第１直流電源２１の出力電圧および第２直流電源２２の出力電圧の変化の一例をタイムチャートとして示している。
【００６０】
なお、本実施の形態においては第１直流電源２１と第１熱電モジュール４、および第２直流電源２２と第２熱電モジュール９とをそれぞれ直接接続しているが、実施の形態１における図１や実施の形態２における図４の構成においても実施可能である。
【００６１】
また、冷蔵室用冷却器２７の除霜動作信号を得るためにタイマー回路２４を用いたが、タイマー回路２４に代えて冷蔵室用冷却器２７の温度を検出し、あらかじめ定めた除霜動作開始温度以下となれば除霜運転を開始し、あらかじめ定めた除霜動作完了温度以上となれば除霜運転を完了するように温度検出手段２５と制御回路２６を構成してもよい。
【００６２】
この場合には直接的に冷蔵室用冷却器２７の温度を監視して制御することから、熱電モジュール４に印加する電圧を所定の値に維持せずとも冷凍室については通常冷却運転を続けながら冷蔵室用冷却器２７の除霜が可能となる。
【００６３】
【発明の効果】
以上説明したように請求項１記載の発明は、冷凍室を冷却するための第１熱電モジュールに印加する電圧方向を冷凍用切り換え手段によって切り換えることにより、冷蔵室の冷却に第１熱電モジュールと第２熱電モジュールの両方の吸熱効果を利用することができ、冷凍室用冷却器の除霜に必要な電力を除霜以外にも利用することが可能となり消費電力を低減できる。
【００６４】
また、請求項２に記載の発明は、冷凍室を冷却するための第１熱電モジュールへの電圧印加を停止し、冷蔵室を冷却するための第２熱電モジュールに印加する電圧方向を冷蔵用切り換え手段によって切り換えることにより、冷蔵室用冷却器と冷凍室用冷却器の除霜を同時に行うことが可能となり、冷凍室用冷却器の除霜のための電力を削減することができるので、消費電力を低減できる。
【００６５】
また、請求項３に記載の発明は、冷蔵室用冷却器の除霜を第２熱電モジュールに印加する電圧を停止することで第１熱電モジュールの放熱効果を利用して行うため、切り換え手段等を用いることなく冷蔵室の除霜が可能となり、冷蔵室用冷却器の除霜のための電力が不要となり、消費電力低減ができる。
【図面の簡単な説明】
【図１】本発明の実施の形態１による電子冷凍冷蔵庫の機能ブロック図
【図２】本発明の実施の形態１による電子冷凍冷蔵庫の冷却システムの断面図
【図３】本発明の実施の形態１による電子冷凍冷蔵庫の各部の動作タイムチャート
【図４】本発明の実施の形態２による電子冷凍冷蔵庫の機能ブロック図
【図５】本発明の実施の形態２による電子冷凍冷蔵庫の各部の動作タイムチャート
【図６】本発明の実施の形態３による電子冷凍冷蔵庫の機能ブロック図
【図７】本発明の実施の形態３による電子冷凍冷蔵庫の各部の動作タイムチャート
【図８】従来の電子冷凍冷蔵庫の断面図
【図９】従来の解氷制御装置の機能ブロック図
【符号の説明】
３    冷凍室用冷却器
４    第１熱電モジュール
９    第２熱電モジュール
１０  外部放熱器
２１  第１直流電源
２２  第２直流電源
２３  冷凍用切り換え手段
２４  タイマー回路
２５  温度検出手段
２６  制御回路
２７  冷蔵室用冷却器
２８  第１アルミブロック
２９  第２アルミブロック
３０  送風ファン
３１  冷蔵用切り換え手段
【図１】
2004340403.tif 000003
【図２】
2004340403.tif 000004
【図３】
2004340403.tif 000005
【図４】
2004340403.tif 000006
【図５】
2004340403.tif 000007
【図６】
2004340403.tif 000008
【図７】
2004340403.tif 000009
【図８】
2004340403.tif 000010
【図９】
2004340403.tif 000011